(57)【要約】      （修正有）【課題】  異なる開口面積の噴射口を有する記録ヘッドを有するインクジェットプリンタにおいて、インクをサブタンクに補充供給するため時間を短縮する。【解決手段】  第１サブタンク１１１Ｅにインクを供給する際の液送圧力及び液送流量が、第２サブタンク１１１Ｆにインクを供給する際の液送圧力及び液送流量より小さくなるように第１ポンプ１５１及び第２ポンプ１５２を制御する。これにより、メニスカスの破壊耐力が小さい第１噴射口に連通する第１サブタンク１１１Ｅへの液送圧力を小さくしながら、メニスカスの破壊耐力が大きい第２噴射口に連通する第２サブタンク１１１Ｆへの液送圧力を大きくすることができるので、メニスカスが破壊されることを防止しつつ、インクをサブタンク１１１Ｆ〜１１１Ｈに補充供給するため時間を短縮することができる。【選択図】図７
2008006770.tif 000002
【特許請求の範囲】
【請求項１】
液体を液滴として噴射する第１噴射口及び前記第１噴射口より小さい開口面積の第２噴射口を有する噴射ヘッド、並びに前記第１噴射口に連通する第１サブタンク部及び前記第２噴射口に連通する第２サブタンク部を備えるヘッドユニットと、
前記噴射ヘッドから噴射される液体が貯蔵されるメインタンク部と、
前記メインタンク部に貯蔵されている液体を前記噴射ヘッドに送るポンプとを具備し、
前記第１サブタンク部に液体を送る際の液送圧力が、前記第２サブタンク部に液体を送る際の液送圧力よりも小さいことを特徴とする液滴噴射装置。
【請求項２】
液体を液滴として噴射する第１噴射口及び前記第１噴射口より小さい開口面積の第２噴射口を有する噴射ヘッド、並びに前記第１噴射口に連通する第１サブタンク部及び前記第２噴射口に連通する第２サブタンク部を備えるヘッドユニットと、
前記噴射ヘッドから噴射される液体が貯蔵されるメインタンク部と、
前記メインタンク部に貯蔵されている液体を前記噴射ヘッドに送るポンプとを具備し、
前記第１サブタンク部に液体を送る際の液送流量が、前記第２サブタンク部に液体を送る際の液送流量よりも小さいことを特徴とする液滴噴射装置。
【請求項３】
前記ポンプにより前記液送圧力又は前記液送流量が制御されることを特徴とする請求項１又は２に記載の液滴噴射装置。
【請求項４】
請求項１ないし３のいずれか１つに記載の液滴噴射装置を有し、
前記液滴噴射装置にてインクを被記録媒体に噴射することを特徴とするインクジェット記録装置。
【発明の詳細な説明】
【技術分野】
【０００１】
本発明は、液体を液滴として噴射する液滴噴射装置に関するもので、特に、インクジェット記録装置（インクジェットプリンタ）に適用して有効である。
【背景技術】
【０００２】
インクジェット記録装置は、周知のごとく、噴射ヘッド（記録ヘッド）にてインク液を液滴として記録用紙等の被記録媒体に向けて噴射することにより被記録媒体に画像を形成していくものである。
【０００３】
そして、例えば特許文献１に記載のインクジェット記録装置では、インクカートリッジ等のメインタンクに充填されたインクを、チューブを介して噴射ヘッドに供給することにより、噴射ヘッドと共に走査するサブタンク部を小型化又は廃止してヘッドユニットの小型化を図っている。
【特許文献１】特開２００３−１７５５８８号公報
【発明の開示】
【発明が解決しようとする課題】
【０００４】
ところで、インクジェット記録装置や液滴噴射装置の噴射ヘッドは、ピエゾ素子の変形や発熱抵抗体による気泡の体積変化等の押圧手段にてインク等の液体を液滴として噴射口（ノズル）から噴射させるものであるが、通常のインクジェット記録装置では、噴射口に開閉弁が設けられておらず、インクを噴射していない待機状態においては、噴射口より内側に窪むようなメニスカスを噴射口に形成することにより、噴射口からインクが漏れ出ることを防止している。
【０００５】
すなわち、噴射口のような小さな孔では、噴射口に存在する液体はその表面張力によりドーム状となってメニスカスを形成する。そこで、噴射口より内側の圧力を大気圧より低下させることにより、噴射口に存在する液体によって噴射口より内側に窪むようなメニスカスを形成し、このメニスカスにより待機時に噴射口からインクが漏れ出ることを防止している。
【０００６】
このため、メインタンクから送られてくるインクの液送圧力又は流量が大きいと、サブタンク部内の圧力が上昇して噴射口に形成されているメニスカスが破壊されてしまうので、メインタンクから送られてくるインクの液送圧力又は流量は、噴射口に形成されているメニスカスが破壊されない程度の大きさに設定されている。
【０００７】
ところで、近年のカラーインクジェット記録装置では、カラー記録時の画像品質を向上させるべく、シアン、マゼンタ及びイエロー等の染料からなるカラーインクを噴射する噴射口の孔径を極小として噴射口から噴射される液滴の微粒化を図っている。
【０００８】
一方、ブラック等の顔料からなるインクを噴射する噴射口は、通常、高い画質が要求されるカラー記録には用いられず、文字等のテキストデータを記録する場合のみ用いられ、その孔径は、高い記録速度を確保するためにカラーインク用の噴射口に比べて大きい。
【０００９】
そして、インクジェット記録装置では、前述したように、メニスカスにより噴射口からインクが漏れ出ることを防止しているので、噴射口の孔径によらず全てサブタンクにおいて、一律、メニスカスの破壊体力が最も小さくなるブラック用の噴射口の破壊体力未満となるように液送圧力又は流量が設定されている。
【００１０】
なお、メニスカスの破壊体力は開口面積が大きくなるほど小さくなり、噴射口を円形とした場合には、メニスカスの破壊体力はその半径の増大に反比例して小さくなることが知られている。
【００１１】
このため、現状のインクジェット記録装置では、メインタンクから送られてくるインクの液送圧力又は流量を小さくせざるを得ないので、インクをサブタンク部に補充供給するため時間を短縮することができないという問題がある。
【００１２】
本発明は、上記点に鑑み、異なる開口面積の噴射口を有する液滴噴射装置において、インク等の液体をサブタンク部に補充供給するため時間を短縮することを目的とする。
【課題を解決するための手段】
【００１３】
本発明は、上記目的を達成するために、請求項１に記載の発明では、液体を液滴として噴射する第１噴射口及び第１噴射口より小さい開口面積の第２噴射口を有する噴射ヘッド、並びに第１噴射口に連通する第１サブタンク部及び第２噴射口に連通する第２サブタンク部を備えるヘッドユニットと、噴射ヘッドから噴射される液体が貯蔵されるメインタンク部と、メインタンク部に貯蔵されている液体を噴射ヘッドに送るポンプとを具備し、第１サブタンク部に液体を送る際の液送圧力が、第２サブタンク部に液体を送る際の液送圧力よりも小さいことを特徴とする。
【００１４】
これにより、請求項１に記載の発明では、メニスカスの破壊耐力が小さい第１噴射口に連通する第１サブタンク部への液送圧力を小さくしながら、メニスカスの破壊耐力が大きい第２噴射口に連通する第２サブタンク部への液送圧力を大きくすることができるので、メニスカスが破壊されることを防止しつつ、液体をサブタンク部に補充供給するため時間を短縮することができる。
【００１５】
請求項２に記載の発明では、液体を液滴として噴射する第１噴射口及び第１噴射口より小さい開口面積の第２噴射口を有する噴射ヘッド、並びに第１噴射口に連通する第１サブタンク部及び第２噴射口に連通する第２サブタンク部を備えるヘッドユニットと、噴射ヘッドから噴射される液体が貯蔵されるメインタンク部と、メインタンク部に貯蔵されている液体を噴射ヘッドに送るポンプとを具備し、第１サブタンク部に液体を送る際の液送流量が、第２サブタンク部に液体を送る際の液送流量よりも小さいことを特徴とする。
【００１６】
これにより、請求項２に記載の発明においても、メニスカスの破壊耐力が小さい第１噴射口に連通する第１サブタンク部への液送圧力を小さくしながら、メニスカスの破壊耐力が大きい第２噴射口に連通する第２サブタンク部への液送圧力を大きくすることができるので、メニスカスが破壊されることを防止しつつ、液体をサブタンク部に補充供給するため時間を短縮することができる。
【００１７】
なお、液送圧力又は液送流量の制御は、請求項３に記載の発明のごとく、ポンプを制御することにより行うことが望ましい。
なお、請求項４に記載の発明では、請求項１ないし３のいずれか１つに記載の液滴噴射装置をインクジェット記録装置に適用したものである。
【発明を実施するための最良の形態】
【００１８】
本実施形態は、本発明に係る液滴噴射装置及びインクジェット記録装置を、プリンタ機能、スキャナ機能、コピー機能及びファクシミリ機能等を備えた多機能装置に適用したものであり、以下に本発明の実施形態を図面と共に説明する。
【００１９】
なお、本実施形態に係る多機能装置は、コンピュータと接続されて、コンピュータから送信された画像データや文書データに基づいて記録用紙や樹脂シート等の被記録媒体（以下、記録用紙という。）に文字を含む画像を記録したり、デジタルカメラ等の外部機器と接続されてデジタルカメラから出力される画像データを記録用紙に記録したりすることができる。
【００２０】
１．多機能装置１の概略構成
図１は多機能装置１の外観斜視図であり、図２は多機能装置１の側面図である。因みに、図２の破線部は、多機能装置１の内部に収納された機器を示している。
【００２１】
多機能装置１の下部には、図１に示すように、記録用紙に画像を形成するインクジェット記録方式のプリンタ部１００が設けられ、一方、上部には原稿の画像を読み取るスキャナ部２００が設けられている。
【００２２】
なお、本実施形態に係る多機能装置１のスキャナ部２００は、図２に示すように、原稿載置部２１０に原稿を載置した状態で原稿を読み取るＦＢＳ（Flatbed Scanner）機能、及び自動原稿搬送機構（ＡＤＦ：Auto Document Feeder）２２０を備えたものである。
【００２３】
また、多機能装置１の前面側上部傾斜面には、図１に示すように、プリンタ部１００やスキャナ部２００を操作設定するため操作パネル１０が設けられ、前面側には、メモリーカード等の記憶媒体が挿入されるスロット部２０、及び後述する給紙トレイ１２１を挿入装着するための挿入口３０が設けられている。
【００２４】
２．プリンタ部
図３はプリンタ部１００（図２において破線で示された部分）の模式図であり、図４はインクリフィルユニット１４０や画像記録部１１０等を上面側から見た図である。
【００２５】
そして、プリンタ部１００は、記録用紙に画像を形成する画像記録部１１０、画像記録部１１０に記録用紙を供給するフィーダ部１２０、及び画像記録部１１０にインクを供給するインクリフィルユニット１４０等から構成されている。
【００２６】
２．１．フィーダ部（図３参照）
多機能装置１（プリンタ部１００）の底部には、図３に示すように、多数枚の記録用紙が載置される給紙トレイ１２１が配設されており、この給紙トレイ１２１の奥側（紙面右側）には、給紙トレイ１２１に載置された記録用紙を分離して上方側へ案内するための分離傾斜板１２２が配設されている。
【００２７】
そして、分離傾斜板１２２から上方へ向かって記録用紙の搬送経路Ｌ１が形成されており、この搬送経路Ｌ１は、上方へ延びた後に紙面左方へ湾曲し、多機能装置１の背面側から正面側へ延びて、画像記録部１１０を通過して排紙トレイ１３０へ通じている。
【００２８】
このため、給紙トレイ１２１に収容された記録用紙は、下方から上方へＵターンするように案内されて画像記録部１１０に至り、画像記録部１１０にて記録用紙に画像が記録された後、排紙トレイ１３０に排出される。
【００２９】
また、給紙ローラ１２３は、給紙トレイ１２１に積載された記録用紙を１枚ずつ分離して搬送経路Ｌ１へ供給するものであり、その構造は周知のものと同様である。
すなわち、例えば、給紙ローラ１２３は、給紙トレイ１２１に接離可能に上下動する給紙アーム１２４の先端に軸支され、駆動伝達機構を介してモータに連結されている。給紙アーム１２４は、基端軸１２５の周りに回転可能に設けられ、かつ、待機状態では、図示されていない給紙クラッチやバネ等により上側へ跳ね上げられ、記録用紙を供給する際には下側へ揺動する。
【００３０】
２．２．画像記録部１１０
図５は記録ヘッド１１１を噴射口（ノズル）から見た図であり、図６及び図７はインクカートリッジ１７０と画像記録部１１０との接続関係を示す模式図である。
【００３１】
画像記録部１１０は、図３に示すように、プラテン１１２上に搬送されてきた記録用紙に微小なインク滴を噴射する記録ヘッド１１１を有している。そして、この記録ヘッド１１１は、記録ヘッド１１１を主走査方向（図３の紙面と垂直な方向）に往復移動させるキャリッジ（図示せず。）に搭載されており、画像記録部１１０（キャリッジ）は、多機能装置１の左右方向に延びるレール部材１１７（図４参照）により主走査方向に移動可能に支持されている。
【００３２】
また、記録ヘッド１１１のうちプラテン１１２側には、図５に示すように、インク滴を噴射するための噴射口１１１Ａ〜１１１Ｄが設けられており、噴射口１１１Ａはブラックインク用の噴射口であり、噴射口１１１Ｂはイエローインク用の噴射口であり、噴射口１１１Ｃはシアンインク用の噴射口であり、噴射口１１１Ｄはマゼンタインク用の噴射口である。
【００３３】
そして、前述したように、シアン、マゼンタ及びイエロー等の染料からなるカラーインクを噴射する噴射口１１１Ｂ〜１１１Ｄの孔径は、ブラック等の顔料からなるインクを噴射する噴射口１１１Ａの孔径に比べて小さく設定されており、本実施形態では、噴射口１１１Ａの孔径は約０．０２ｍｍであり、噴射口１１１Ｂ〜１１１Ｄの孔径は約０．０１５〜０．０１８ｍｍである。そこで、以下、噴射口１１１Ａを第１噴射口１１１Ａと呼び、噴射口１１１Ｂ〜１１１Ｄを総称して第２噴射口１１１Ｂと記す。
【００３４】
また、キャリッジには、図７に示すように、噴射口１１１Ａ〜１１１Ｄに連通するサブタンク１１１Ｅ〜１１１Ｈが搭載されおり、本実施形態では、記録ヘッド１１１及びサブタンク１１１Ｅ〜１１１Ｈ等によりヘッドユニットが構成されている。
【００３５】
なお、サブタンク１１１Ｅはブラックインクを蓄えるタンク部であり、サブタンク１１１Ｆはイエローインクを蓄えるタンク部であり、サブタンク１１１Ｇはシアンインクを蓄えるタンク部であり、サブタンク１１１Ｈはマゼンタインクを蓄えるタンク部である。
【００３６】
そこで、以下、第１噴射口１１１Ａ及び第２噴射口１１１Ｂに対応して、サブタンク１１１Ｅを第１サブタンク１１１Ｅと呼び、サブタンク１１１Ｆ〜１１１Ｈを総称して第２サブタンク１１１Ｆと記す。
【００３７】
また、記録ヘッド１１１（プラテン１１２）より用紙搬送方向上流側には、図３に示すように、駆動ローラ１１３及び押さえローラ１１４が設けられており、これら駆動ローラ１１３及び押さえローラ１１４は、搬送経路Ｌ１を搬送される記録用紙を狭持し、キャリッジの往復移動と連動して記録用紙をプラテン１１２上に搬送する。
【００３８】
なお、駆動ローラ１１３は図示しない電動モータから駆動力を得て回転し、押さえローラ１１４は、記録用紙を駆動ローラ１１３側に押圧することにより従動回転する。
また、記録ヘッド１１１（プラテン１１２）より用紙搬送方向下流側には、排紙ローラ１１５及び押さえローラ１１６が設けられており、これら排紙ローラ１１５及び押さえローラ１１６は、画像記録部１１０から排出されてきた記録用紙を狭持して記録が終了した記録用紙を排紙トレイ１３０に搬送する。
【００３９】
なお、排紙ローラ１１５は、駆動ローラ１１３の回転と機械的に連動（同期）して回転し、押さえローラ１１６は、記録用紙を排紙ローラ１１５側に押圧することにより従動回転する。また、押さえローラ１１６は記録済みの記録用紙に圧接されるので、記録用紙に記録された画像を劣化させないように、記録用紙との接触面に凹凸が形成されて拍車（歯車）状となっている。
【００４０】
また、インクリフィルユニット１４０には、ブラック、イエロー、マゼンタ及びシアンの４種類のインクがそれぞれ充填された４本のインクカートリッジ１７０（図７参照）が着脱可能に収納されており、これらインクカートリッジ１７０は、サブタンク１１１Ｅ〜１１１Ｈに供給するインクを貯蔵するメインタンク部をなすものである。
【００４１】
なお、図７に示すように、４本のインクカートリッジ１７０のうち、インクカートリッジ１７０Ａはブラックインクが貯蔵されており、インクカートリッジ１７０Ｂにはイエローインクが貯蔵されており、インクカートリッジ１７０Ｃにはシアンインクが貯蔵されており、インクカートリッジ１７０Ｄにはマゼンタインクが貯蔵されている。
【００４２】
そして、インクカートリッジ１７０に充填されているインクは、図４に示すように、ポリエチレン等の可撓性を有する材料にて形成されたインクチューブ１４１を介して各サブタンク１１１Ｅ〜１１１Ｈに供給されており、各インクチューブ１４１には、インクを圧送するポンプ１５１〜１５４が設けられている。なお、本実施形態では、ポンプ１５１〜１５４はチューブポンプであり、その回転数を制御することより液送圧力及び液送流量を制御することができる。また、チューブポンプ以外にもスクリューポンプやダイヤフラムポンプを使用することができる。
【００４３】
また、ポンプ１５２〜１５４、つまり第２サブタンク１１１Ｆにインクを供給する３機のポンプは、同一回転数となるように制御されるので、以下、ポンプ１５１を第１ポンプ１５１と呼び、ポンプ１５２〜１５４を総称して第２ポンプ１５２と記し、ポンプ１５１〜１５４を総称するときはポンプ１５０と記す。
【００４４】
なお、インクリフィルユニット１４０は、図１及び図４に示すように、多機能装置１の前面側右端部であって、かつ、図３に示すように、インクカートリッジ１７０にインクが満充填されているときのインク液面が、記録ヘッド１１１に設けられた第１噴射口１１１Ａ及び第２噴射口１１１Ｂの位置より低くなる位置に内蔵されており、本実施形態では、この水頭差による圧力を利用して第１噴射口１１１Ａ及び第２噴射口１１１Ｂに発生するメニスカスを内側に引き込んでいる。
【００４５】
また、４つのサブタンク１１１Ｅ〜１１１Ｈそれぞれには、図６に示すように、サブタンク１１１Ｅ〜１１１Ｈ内の上方側とサブタンク１１１Ｅ〜１１１Ｈ外（大気側）と連通させる排気ユニット１６０が設けられている。
【００４６】
この排気ユニット１６０は、下端側に大気側に開口した大気連通口１６１が形成された筒状のバルブケーシング１６２と、大気連通口１６１よりも上方側に変位可能に配設されてを大気連通口１６１を開閉する弁体（バルブ）１６２と、大気連通口１６１を閉じる向きに弁体１６２を押し付ける弾性力を弁体１６２に作用させるバネ１６３とを有して構成されている。なお、バルブケーシングの上端側は、サブタンク１１１Ｅ〜１１１Ｈ内の上方側に連通している。
【００４７】
そして、大気連通口１６１を開く場合には、図示しないアクチュエータにてプッシュロッド１６４を上方側に変位させて弁体１６２を上方側に押圧する。これにより、弁体１６２はバネ１６３の弾性力に逆らって上方側に変位するので、大気連通口１６１が開く。
【００４８】
一方、大気連通口１６１を閉じる場合には、アクチュエータを作動させてプッシュロッド１６４を下方側に変位させる。これにより、弁体１６２はバネ１６３の弾性力により大気連通口１６１に押し付けられるので、大気連通口１６１が弁体１６２により閉じられる。
【００４９】
３．本実施形態に係る多機能装置１（プリンタ部１００）の特徴作動及びその効果
図８（ａ）はサブタンク１１１Ｅ〜１１１Ｈ内のインク量が減少したとき（インクの補充が必要となったとき）を示す図であり、図８（ｂ）はサブタンク１１１Ｅ〜１１１Ｈにインクを補充しているときの状態を示す図であり、図８（ｃ）はサブタンク１１１Ｅ〜１１１Ｈへのインク補充供給が終了したときの状態を示す図である。
【００５０】
インクカートリッジ１７０から第１サブタンク１１１Ｅ又は第２サブタンク１１１Ｆにインクを補充供給する場合には、大気連通口１６１が開かれるとともに、第１サブタンク１１１Ｅにインクを供給する際の液送圧力及び液送流量が、第２サブタンク１１１Ｆにインクを供給する際の液送圧力及び液送流量より小さくなるように第１ポンプ１５１及び第２ポンプ１５２の回転数が制御される（図８（ｂ）参照）。
【００５１】
そして、サブタンク１１１Ｅ〜１１１Ｈへのインク補充が終了したときには、大気連通口１６１は閉じられるとともに、ポンプ１５０が停止する（図８（ｃ）参照）。
したがって、本実施形態では、メニスカスの破壊耐力が小さい第１噴射口１１１Ａに連通する第１サブタンク１１１Ｅへの液送圧力を小さくしながら、メニスカスの破壊耐力が大きい第２噴射口１１１Ｂに連通する第２サブタンク１１１Ｆへの液送圧力を大きくすることができるので、メニスカスが破壊されることを防止しつつ、インクをサブタンク１１１Ｆ〜１１１Ｈに補充供給するため時間を短縮することができる。
【００５２】
また、インクをサブタンク１１１Ｅ〜１１１Ｈに補充供給する際には、大気連通口１６１を開くので、インクをサブタンク１１１Ｅ〜１１１Ｈの空気が排出され、インクをスムーズに補充供給することができる。
【００５３】
なお、上記の説明では、第１サブタンク１１１Ｅへのインク補充と第２サブタンク１１１Ｆへのインク補充とが同時に行われる例で説明したが、第１サブタンク１１１Ｅ又は第２サブタンク１１１Ｆへのインク供給は、必ずしも同時に行われるものではなく、サブタンク１１１Ｅ〜１１１Ｈのいずれかに貯蔵されているインクが所定量以下となったときに、その所定量以下となったサブタンクに対してインクの補充供給が行われる（図８（ａ）参照）。
【００５４】
つまり、本実施形態では、インクの補充供給のタイミングによらず、常に、第１サブタンク１１１Ｅにインクを供給する際の液送圧力及び液送流量は、第２サブタンク１１１Ｆにインクを供給する際の液送圧力及び液送流量より小さくなるように設定されている。
【００５５】
４．発明特定事項と実施形態との対応関係
本実施形態では記録ヘッド１１１が特許請求の範囲に記載された噴射ヘッドに相当し、第１サブタンク１１１Ｅが特許請求の範囲に記載された第１サブタンク部に相当し、第２サブタンク１１１Ｆが特許請求の範囲に記載された第１サブタンク部に相当する。
【００５６】
（その他の実施形態）
上述の実施形態では、プリンタ機能、スキャナ機能、コピー機能及びファクシミリ機能等を備えた多機能装置に本発明に係るインクジェット記録装置を適用したが、本発明はこれに限定されるものではない。
【００５７】
また、上述の実施形態では、本発明に係る液滴噴射装置をインクジェットプリンタに適用したが、本発明の適用はこれに限定されるものではない。
また、上述の実施形態では、ポンプ１５０の回転数を制御することにより、インクの液送圧力及び液送流量を制御したが、本発明はこれに限定されるものではなく、例えば、流路抵抗を第１サブタンク１１１Ｅ側と第２サブタンク１１１Ｆ側とで相違させることによりインクの液送圧力及び液送流量を制御してもよい。なお、このようにすれば、第１ポンプ１５１と第２ポンプ１５２とをそれぞれ独立して制御する必要がない。
【００５８】
なお、流路抵抗を相違させるため具体的手段としては、インクチューブ１４１に固定絞り等の抵抗手段を設ける、又は第１サブタンク１１１Ｅに接続されるインクチューブ１４１の通路断面積を第２サブタンク１１１Ｆに接続されるインクチューブ１４１の通路断面積より小さくする、又は第１サブタンク１１１Ｅに接続されるインクチューブ１４１の通路長さを第２サブタンク１１１Ｆに接続されるインクチューブ１４１の通路長さより大きくする等の手段が考えられる。
【００５９】
また、本発明は、特許請求の範囲に記載された発明の趣旨に合致するものであればよく、上述の実施形態に限定されるものではない。
【図面の簡単な説明】
【００６０】
【図１】本発明の実施形態に係る多機能装置１の外観斜視図である。
【図２】本発明の実施形態に係る多機能装置１の側面図である。
【図３】本発明の実施形態に係るプリンタ部１００の模式図である。
【図４】本発明の実施形態に係るインクリフィルユニット１４０や画像記録部１１０等を上面側から見た図である。
【図５】記録ヘッド１１１をインク滴を噴射する噴射口（ノズル）から見た図である。
【図６】インクカートリッジ１７０と画像記録部１１０との接続関係を示す模式図である。
【図７】インクカートリッジ１７０と画像記録部１１０との接続関係を示す模式図である。
【図８】（ａ）はサブタンク１１１Ｅ〜１１１Ｈ内のインク量が減少したとき（インクの補充が必要となったとき）を示す図であり、（ｂ）はサブタンク１１１Ｅ〜１１１Ｈにインクを補充しているときの状態を示す図であり、（ｃ）はサブタンク１１１Ｅ〜１１１Ｈへのインク補充供給が終了したときの状態を示す図である。
【符号の説明】
【００６１】
１…多機能装置、１０…操作パネル、２０…スロット部、３０…挿入口、
１００…プリンタ部、１１０…画像記録部、１１１…記録ヘッド、
１１１Ａ…第１噴射口、１１１Ｂ…第２噴射口、１１１Ｂ…噴射口、
１１１Ｅ…第１サブタンク、１１１Ｆ…第２サブタンク１１２…プラテン、
１１３…駆動ローラ、１１４…押さえローラ、１１５…排紙ローラ、
１１６…押さえローラ、１１７…レール部材、１２０…フィーダ部、
１２１…給紙トレイ、１２２…分離傾斜板、１２３…給紙ローラ、
１２４…給紙アーム、１２５…基端軸、１３０…排紙トレイ、
１４０…インクリフィルユニット、１４１…インクチューブ、１５１…第１ポンプ、
１５２…第２ポンプ、１５３…バネ、１６０…排気ユニット、１６１…大気連通口、
１６２…バルブケーシング、１６２…弁体、１６３…バネ、
１６４…プッシュロッド、１７０…インクカートリッジ、２００…スキャナ部、
２１０…原稿載置部。
【図１】
2008006770.tif 000003
【図２】
2008006770.tif 000004
【図３】
2008006770.tif 000005
【図４】
2008006770.tif 000006
【図５】
2008006770.tif 000007
【図６】
2008006770.tif 000008
【図７】
2008006770.tif 000009
【図８】
2008006770.tif 000010